(57)【特許請求の範囲】
【請求項１】
乗員が着座した際の腰部周囲に対応するドアトリムの前記乗員の大腿部及び臀部に対応する部位を除く部位に、車幅方向の外側に凹む凹部が形成され、
前記凹部は、前記乗員の骨盤における寛骨臼及び腸骨に対応する部位に形成されていることを特徴とする車両のドア構造。
【請求項２】
請求項１に記載の車両のドア構造において、
前記乗員の前記大腿部に対応する部位を除く部位は、前記大腿部の付け根寄りに対応する部位を除いた部位である
ことを特徴とする車両のドア構造。
【請求項３】
請求項２に記載の車両のドア構造において、
前記凹部は、前記寛骨臼の下側及び前記腸骨の後側に対応する部位を含む範囲に形成されている
ことを特徴とする車両のドア構造。
【請求項４】
請求項１から請求項３のいずれか一項に記載の車両のドア構造において、
前記大腿部及び前記臀部に対応する部位における前記ドアトリムとドアパネルの間に衝撃吸収材を配した
ことを特徴とする車両のドア構造。
【発明の詳細な説明】
【技術分野】
【０００１】
本発明は、車両の側面衝突時にドアパネルが車室側に侵入した際に乗員の保護をより的確に行うことができる車両のドア構造に関する。
【背景技術】
【０００２】
車両に対して側面からの衝突が生じた場合、ドアの外側から外力が加えられ、ドアパネルが変形してドアトリムが車室側に変位し、ドアトリムが乗員に当接して荷重が作用することになる。ドアトリムが乗員に当接した際には、乗員に過剰な荷重が作用することなく、乗員の姿勢が維持されるように、最小限の荷重を受ける状態にすることが重要である。
【０００３】
ドアトリムが乗員に激しく当接する場合、腹部や胸部は傷害に至る可能性があるため、比較的耐性が高い腰部の周りに当接させて乗員を拘束する、即ち、ドアトリムの変形に応じて乗員を初期移動させることが望ましい。
【０００４】
このため、乗員の骨盤に衝撃吸収材が当接するようにしたドアトリムの構造が従来から提案されている（例えば、特許文献１参照）。特許文献１に開示された技術は、骨盤の周囲の腸骨以外の部位に衝撃吸収材を配し、ドアトリムが変形した際に、腸骨に衝撃吸収材が当接しない状態で乗員の骨盤が押されるようにし、骨盤への負担を最小限に抑えて乗員を車室の内側に移動させるようにしている。
【０００５】
しかし、骨盤に対する荷重の負担は、腸骨以外の股関節の部位の荷重も影響するため、腸骨以外の部位に衝撃吸収材を配しただけでは、ドアトリムの変形に伴って乗員の骨盤が押された際に、腸骨以外の部位の負担が軽減されず、骨盤に対する荷重の負担を十分に軽減することができないのが現状であった。
【先行技術文献】
【特許文献】
【０００６】
【特許文献１】特許第３２１４２４７号公報
【発明の概要】
【発明が解決しようとする課題】
【０００７】
本発明は上記状況に鑑みてなされたもので、ドアトリムの変形に伴って乗員の骨盤が押された際に、骨盤に対する荷重をより的確に低減した状態で乗員の腰部回りを押すことができる（拘束することができる）車両のドア構造を提供することを目的とする。
【課題を解決するための手段】
【０００８】
上記目的を達成するための請求項１に係る本発明の車両のドア構造は、乗員が着座した際の腰部周囲に対応するドアトリムの前記乗員の大腿部及び臀部に対応する部位を除く部位に、車幅方向の外側に凹む凹部が形成され、前記凹部は、前記乗員の骨盤における寛骨臼及び腸骨に対応する部位に形成されていることを特徴とする。
【０００９】
請求項１に係る本発明では、大腿部及び臀部に対応する部位を除く部位に凹部が形成されているので、腰部周囲に対応するドアトリムの大腿部及び臀部に対応する部位が乗員側に凸状部位となり、ドアトリムが変形した際には、初期移動時に大腿部及び臀部が押されて乗員の骨盤が押されることになる。
そして、凹部が乗員の骨盤における寛骨臼及び腸骨に対応する部位に形成されているので、ドアトリムが変形した際に、寛骨臼及び腸骨にドアトリムが当接しない状態で乗員の腰部の周りが押され、骨盤への負担を最小限に抑えることができる。
【００１０】
このため、ドアトリムの変形に伴って乗員の骨盤が押された際に、骨盤に対する荷重をより的確に低減した状態で乗員の腰部回りを押すことが可能になる（拘束することが可能になる）。
【００１３】
また、請求項２に係る本発明の車両のドア構造は、請求項１に記載の車両のドア構造において、前記乗員の前記大腿部に対応する部位を除く部位は、前記大腿部の付け根寄りに対応する部位を除いた部位であることを特徴とする。
【００１４】
請求項２に係る本発明では、腰部周囲に対応するドアトリムの大腿部の付け根寄りに対応する部位が乗員側に凸状部位となり、比較的耐性が高い大腿部の付け根寄りが押されることになる。
【００１５】
また、請求項３に係る本発明の車両のドア構造は、請求項２に記載の車両のドア構造に
おいて、前記凹部は、前記寛骨臼の下側及び前記腸骨の後側に対応する部位を含む範囲に
形成されていることを特徴とする。
【００１６】
請求項３に係る本発明では、寛骨臼の下側に対応する部位に形成された凹部により、シート下部のレバー等の操作スペースが確保され、腸骨の後側に対応する部位に形成された凹部により、エアバッグの展開スペースが確保される。
【００１７】
また、請求項４に係る本発明の車両のドア構造は、請求項１から請求項３のいずれか一項に記載の車両のドア構造において、前記大腿部及び前記臀部に対応する部位における前記ドアトリムとドアパネルの間に衝撃吸収材を配したことを特徴とする。
【００１８】
請求項４に係る本発明では、ドアトリムが変形した際には、初期移動時に大腿部及び臀
部が衝撃吸収材を介して押される。
【発明の効果】
【００１９】
本発明の車両のドア構造は、ドアトリムの変形に伴って乗員の骨盤が押された際に、骨盤に対する荷重をより的確に低減した状態で乗員の腰部回りを押すことが可能になる（拘束することが可能になる）。
【図面の簡単な説明】
【００２０】
【図１】本発明の第１実施例に係る車両のドア構造を適用した後部ドアの車室内側からの側面図である。
【図２】乗員と後部ドアの関係を説明する概略図である。
【図３】図１中のＩＩＩ−ＩＩＩ線矢視図である。
【図４】図１中のＩＶ−ＩＶ線矢視図である。
【図５】本発明の第２実施例に係る車両のドア構造を適用した後部ドアの車室内側からの側面図である。
【図６】図５中のＶＩ−ＶＩ線矢視図である。
【図７】図５中のＶＩＩ−ＶＩＩ線矢視図である。
【図８】本発明の第３実施例に係る車両のドア構造を適用した後部ドアの車室内側からの側面図である。
【図９】図８中のＩＸ−ＩＸ線矢視図である。
【図１０】図８中のＸ−Ｘ線矢視図である。
【発明を実施するための形態】
【００２１】
図１から図４に基づいて本発明の車両のドア構造の第１実施例を説明する。
【００２２】
図１には本発明の第１実施例に係る車両のドア構造を適用した後部ドアの車室内側からの側面視、図２には乗員と後部ドアの関係を説明する概略状況を示してあり、図２（ａ）は車室内側からの側面視、図２（ｂ）は車両後方からの後方視、図２（ｃ）は平面視である。また、図３には図１中のＩＩＩ−ＩＩＩ線矢視、図４には図１中のＩＶ−ＩＶ線矢視を示してある。
【００２３】
図１、図４に示すように、後部ドア（ドア）１はドアインナパネル７及びドアアウタパネル８により構成され、ドア１の車室側には、即ち、ドアインナパネル７の内側には、ドアトリム２が取り付けられている。ドアトリム２の中央部位には車両の前後方向に延びる段部が形成されたアームレスト３が設けられている。また、ドアインナパネル７とドアアウタパネル８の間にはインパクトバーが配置される。
【００２４】
図１に示すように、リヤシート（シート）４に乗員５が着座した際の腰部６の周囲に対応するドアトリム２には車幅方向に凹む凹部２１が形成されている。つまり、ドアトリム２の車室側の面には、所望の箇所に凹部２１が形成され、凹部２１が形成されることにより凹部２１以外の部位に凸部２２が形成される。凸部２２の車両の前方側のドアトリム２には、前方凹部２３が形成されている。
【００２５】
図２（ａ）（ｂ）（ｃ）に示すように、乗員５の腰部６には骨盤１１が存在し、骨盤１１には腸骨１２、大腿骨１３の頭が入り込んで股関節をつくる寛骨臼１４が存在している。大腿骨１３の付け根寄りの部位に大腿部１５が存在し、腸骨１２の下側で寛骨臼１４の後側に臀部１６が存在している。
【００２６】
図１、図２（ａ）、図３、図４に示すように、シート４に乗員５が着座した際の腰部６の周囲である大腿部１５及び臀部１６に対応する部位を除く部位におけるドアトリム２には、凹部２１が形成されている。即ち、骨盤１１の寛骨臼１４及び腸骨１２に対応する部位のドアトリム２には、車幅方向に凹む凹部２１が形成されている。
【００２７】
そして、凹部２１が形成されることにより、ドアトリム２の腰部６の周囲に対応する部位の凹部２１以外の部位におけるドアトリム２には凸部２２が形成された状態になっている。即ち、腰部６の周囲の大腿部１５（大腿部１５の付け根寄りに対応する部位）及び臀部１６の部位におけるドアトリム２には、凸部２２が形成された状態になっている。
【００２８】
図１に示すように、ドアトリム２の凹部２１は、着座した乗員５の寛骨臼１４の下側に対応する部位２１ａ及び着座した乗員５の腸骨１２の後側に対応する部位２１ｂを含む範囲に形成されている。このため、凹部２１の部位２１ａによりシート４の下部のレバー等の操作スペースが確保され、凹部２１の部位２１ｂによりエアバッグの展開スペースが確保される。
【００２９】
上述したドア構造の作用を説明する。
【００３０】
側面衝突等で、ドア１の外側から（ドアアウタパネル８の外側から）ドアトリム２に向かって荷重が加わった場合、ドアインナパネル７が車室側に押されて変形する。ドアインナパネル７が車室側に変形すると、ドアトリム２がドアインナパネル７と共に荷重が加わる方向、即ち、乗員５の方向に向かって移動する（変形する）。
【００３１】
ドアトリム２がドアインナパネル７と共に乗員５の方向に向かって変形すると、ドアトリム２の下側の部位では、乗員５の腰部周りが車室側に押される。ドアトリム２には、大腿骨１３の付け根寄りの部位の大腿部１５、臀部１６に対応する部位を除く部位に凹部２１が形成されているので、即ち、ドアトリム２には、大腿部１５、臀部１６に対応する部位に凸部２２が形成されているので、ドアトリム２が変形した際には、初期移動時に大腿部１５及び臀部１６が凸部２２で押されて乗員５の骨盤１１が押されることになる（拘束されることになる）。
【００３２】
凸部２２には、凹部２１の底面部から立ち上がる縦壁部２２ａが存在しているので、ドアトリム２が変形して大腿部１５及び臀部１６を押した状態になった際に、大腿部１５及び臀部１６が押され続ける（凸部２２の形状が維持される）。
【００３３】
つまり、ドアトリム２が変形した際の初期移動時には、骨盤１１の腸骨１２及び股関節をつくる寛骨臼１４に対応する部位に対して、凹部２１の存在によりドアトリム２が直接当接せずに荷重が加わらず、骨盤１１への負担を最小限に抑えることができる。そして、骨盤１１の全体に対する荷重が低減された状態で、比較的耐性が高い大腿部１５及び臀部１６が押されることで乗員５の腰部（骨盤１１）が拘束されることになる。
【００３４】
このため、ドアトリム２の変形に伴って乗員５の骨盤１１が押された際に、骨盤１１への負担を最小限に抑えて、骨盤１１に対する荷重を低減した状態で乗員５の腰部回りを押すことが可能になる（拘束することが可能になる）。
【００３５】
図５から図７に基づいて本発明の車両のドア構造の第２実施例を説明する。
【００３６】
図５には本発明の第２実施例に係る車両のドア構造を適用した後部ドアの車室内側からの側面視、図６には図５中のＶＩ−ＶＩ線矢視、図７には図５中のＶＩＩ−ＶＩＩ線矢視を示してある。
【００３７】
尚、図５は第１実施例の図１に相当し、図６、図７は第１実施例の図３、図４にそれぞれ相当する。このため、図１、図３、図４に示した部材と同一部材には同一符号を付して重複する説明は省略してある。
【００３８】
図５から図７に示すように、凸部２２におけるドアインナパネル７とドアトリム２の間には、エネルギーを吸収するための構造体である衝撃吸収材３１が設けられている。つまり、乗員５の大腿部１５に対応する部位のドアトリム２の凸部２２の裏側及び、臀部１６に対応する部位のドアトリム２の凸部２２の裏側に、衝撃吸収材３１が設けられている。
【００３９】
このため、ドアトリム２が変形した際には、初期移動時に大腿部１５及び臀部１６が衝撃吸収材３１を介して押されることになり、大腿部１５及び臀部１６の負担を最小限に抑制することができる。
【００４０】
図８から図１０に基づいて本発明の車両のドア構造の第３実施例を説明する。
【００４１】
図８には本発明の第３実施例に係る車両のドア構造を適用した後部ドアの車室内側からの側面視、図９には図８中のＩＸ−ＩＸ線矢視、図１０には図８中のＸ−Ｘ線矢視を示してある。
【００４２】
尚、図８は第１実施例の図１に相当し、図９、図１０は第１実施例の図３、図４にそれぞれ相当する。このため、図１、図３、図４に示した部材と同一部材には同一符号を付して重複する説明は省略してある。
【００４３】
図８から図１０に示すように、大腿部１５に対応する部位の凸部２２が形成されたドアトリム２のアームレスト３の上面には、穴３３が形成されている。凸部２２におけるドアインナパネル７とドアトリム２の間の凸部２２には中空筒材３４が配され、中空筒材３４の上端部は穴３３に臨んでいる。
【００４４】
このため、穴３３から中空筒材３４の内部に物を収納することができ、大腿部１５を拘束するためのドアトリム２の凸部２２を物入れとして有効に活用することが可能になる。また、中空筒材３４がエネルギーを吸収するための構造体として働き、ドアトリム２が変形した際に大腿部１５の負担を最小限に抑制することができる。
【００４５】
上述した実施例は後部のドア構造を例に挙げて説明したが、側面衝突に対する乗員保護構造を備える車両用ドアであれば、車両前部、後部に限らず本願発明のドア構造を適用することが可能である。
【産業上の利用可能性】
【００４６】
本発明は、車両の側面衝突時にドアパネルが車室側に侵入した際に乗員の保護をより的確に行うことができる車両のドア構造の産業分野で利用することができる。
【符号の説明】
【００４７】
１  後部ドア（ドア）
２  ドアトリム
３  アームレスト
４  リヤシート（シート）
５  乗員
７  ドアインナパネル
８  ドアアウタパネル
１１  骨盤
１２  腸骨
１３  大腿骨
１４  寛骨臼
１５  大腿部
１６  臀部
２１  凹部
２２  凸部
２３  前方凹部
３１  衝撃吸収材
３３  穴
３４  中空筒材
【図１】
0005733525.tif 000002
【図２】
0005733525.tif 000003
【図３】
0005733525.tif 000004
【図４】
0005733525.tif 000005
【図５】
0005733525.tif 000006
【図６】
0005733525.tif 000007
【図７】
0005733525.tif 000008
【図８】
0005733525.tif 000009
【図９】
0005733525.tif 000010
【図１０】
0005733525.tif 000011